(57)【要約】【課題】単体測定器を用いて、信頼性が高い同期制御を行い、汎用性を高めるテストシステムを実現することを目的にする。【解決手段】本発明は、被試験対象を試験するテストシステムに改良を加えたものである。本システムは、被試験対象を試験し、ネットワークに接続すると共に、このネットワークと分離したＴＣＰ／ＩＰ通信を行い、トリガ信号を出力するＩＣテスタと、このＩＣテスタとネットワークと分離したＴＣＰ／ＩＰ通信を行うと共に、ＩＣテスタからトリガ信号を入力し、少なくとも被試験対象の測定を行う単体測定器とを備えたことを特徴とするシステムである。【選択図】図１
2007315828.tif 000002
【特許請求の範囲】
【請求項１】
被試験対象を試験するテストシステムにおいて、
前記被試験対象を試験し、ネットワークに接続すると共に、このネットワークと分離したＴＣＰ／ＩＰ通信を行い、トリガ信号を出力するＩＣテスタと、
このＩＣテスタと前記ネットワークと分離したＴＣＰ／ＩＰ通信を行うと共に、ＩＣテスタからトリガ信号を入力し、少なくとも前記被試験対象の測定を行う単体測定器と
を備えたことを特徴とするテストシステム。
【請求項２】
ＩＣテスタは、
単体測定器とネットワークと分離したＴＣＰ／ＩＰ通信を行うインターフェース部と、
このインターフェース部とデータの送受信を行うと共に、単体測定器にトリガ信号を出力する制御部と
を有することを特徴とする請求項１記載のテストシステム。
【請求項３】
単体測定器は、少なくともトリガ信号の入力部を有することを特徴とすることを特徴とする請求項１または２記載のテストシステム。
【発明の詳細な説明】
【技術分野】
【０００１】
本発明は、被試験対象を試験するテストシステムに関し、単体測定器を用いて、信頼性が高い同期制御を行い、汎用性を高めるテストシステムに関するものである。
【背景技術】
【０００２】
ＩＣテスタは、被試験対象（以下ＤＵＴ）、例えばＩＣ，ＬＳＩ等に試験信号を出力し、ＤＵＴの出力により良否の判定を行っている。ＩＣテスタが試験を行うＤＵＴの種類が多く、標準的なＩＣテスタでは、試験が行えないＤＵＴがある。このようなＤＵＴを試験するために、市販の単体測定器を用いて、ＤＵＴの試験を行っていた。以下、図２を用いて説明する。
【０００３】
図２において、ＤＵＴ１は、例えばＩＣ，ＬＳＩ等である。ＩＣテスタ２は、ネットワークＬと接続し、ＤＵＴ１と信号の授受を行う。そして、ＩＣテスタ２は、複数のモジュール２１、ＨＤＤ（ハードディスク）２２、ＴＳＣ（テストシステムコントローラ）２３等からなる。複数のモジュール２１は、ＤＵＴ１と信号の授受の少なくとも一方を行う。ＨＤＤ２２は、テストパターンを含むテストプログラムや試験結果を記憶する。ＴＳＣ２３は、ネットワークＬ、ＨＤＤ２２に接続し、テストバスＢを介して、複数のモジュール２１の制御を行う。各単体測定器３は、ＩＣテスタ２のＴＳＣ２３とＧＰ−ＩＢ（General Purpose Interface Bus）により接続され、ＤＵＴ１に信号発生を行う。コンピュータＣ１，Ｃ２は、ネットワークＬに接続される。
【０００４】
このような装置の動作を以下に説明する。コンピュータＣ１は、テストプログラムを、ネットワークＬを介して、ＩＣテスタ２に送る。ＩＣテスタ２のＴＳＣ２３は、ネットワークＬから送られてきたテストプログラムをＨＤＤ２２に格納する。そして、コンピュータＣ２が、ネットワークＬを介して、ＩＣテスタ２のＴＳＣ２３に試験開始を指示する。これにより、ＴＳＣ２３は、ＨＤＤ２２のテストプログラムを読み出し、モジュール２１の制御を行うと共に、ＧＰ−ＩＰを介して、単体測定器３の制御を行う。モジュール２１、単体測定器３が試験信号をＤＵＴ１に出力し、ＤＵＴ１がモジュール２１に信号を出力し、モジュール２１が測定を行う。ＴＳＣ２３は、モジュール２１の測定結果により、ＤＵＴ１の良否の判定を行い、ＨＤＤ２２に格納する。コンピュータＣ２が、ＩＣテスタ２に対して、試験結果の要求を行うと、ＴＳＣ２３は、ＨＤＤ２２から試験結果を読み出し、ネットワークＬを介して、コンピュータＣ２に送る。
【０００５】
【特許文献１】特開２００１−１４４１５６号公報
【発明の開示】
【発明が解決しようとする課題】
【０００６】
このようなシステムは、単体測定器３を用いていることにより、ＩＣテスタ２の汎用性を高めている。つまり、単体測定器の増設や変更により、各種ＤＵＴに対応することができる。しかし、単体測定器３を用いるため、単体測定器３が通常持っているインターフェースとして、ＧＰ−ＩＢにより制御しなければならなかった。ＧＰ−ＩＢでは、処理速度が遅いため、大量のデータを扱うことができず、単体測定器３は信号発生しか用いられていなかった。そこで、特許文献１のように、近年、単体測定器３に搭載されるＴＣＰ／ＩＰ（Transmission Control Protocol/Internet Protocol）インターフェースにより、ネットワークを介して、制御を行うことが考えられる。しかし、ネットワークＬは、コンピュータＣ１，Ｃ２等の各種機器が接続され、各種データが流れているため、信頼性が高い同期制御が行えないという問題点があった。
【０００７】
そこで、本発明の目的は、単体測定器を用いて、信頼性が高い同期制御を行い、汎用性を高めるテストシステムを実現することにある。
【課題を解決するための手段】
【０００８】
このような課題を達成するために、本発明のうち第１の手段は、
被試験対象を試験するテストシステムにおいて、
前記被試験対象を試験し、ネットワークに接続すると共に、このネットワークと分離したＴＣＰ／ＩＰ通信を行い、トリガ信号を出力するＩＣテスタと、
このＩＣテスタと前記ネットワークと分離したＴＣＰ／ＩＰ通信を行うと共に、ＩＣテスタからトリガ信号を入力し、少なくとも前記被試験対象の測定を行う単体測定器と
を備えたことを特徴とするものである。
第２の手段は、第１の手段であって、
ＩＣテスタは、
単体測定器とネットワークと分離したＴＣＰ／ＩＰ通信を行うインターフェース部と、
このインターフェース部とデータの送受信を行うと共に、単体測定器にトリガ信号を出力する制御部と
を有するものである。
第３の手段は、第１の手段または第２の手段であって、
単体測定器は、少なくともトリガ信号の入力部を有することを特徴とすることを特徴とするものである。
【発明の効果】
【０００９】
本発明によれば、ＩＣテスタが、ネットワークと分離したＴＣＰ／ＩＰ通信により、単体測定器と通信を行うと共に、単体測定器にトリガ信号を出力するので、単体測定器を用いて、信頼性が高い同期制御を行い、ＩＣテスタの汎用性を高めることができる。
【発明を実施するための最良の形態】
【００１０】
以下本発明を、図面を用いて詳細に説明する。図１は本発明の一実施例を示した構成図である。ここで、図２と同一のものは同一符号を付し説明を省略する。
【００１１】
図１において、インターフェース部２４は、ＩＣテスタ２に設けられ、コンピュータＣ１，Ｃ２等の外部装置が接続されるネットワークＬと分離したＴＣＰ／ＩＰ通信を行う。ＴＳＣ２５は制御部で、ＴＳＣ２３の代わりに設けられ、インターフェース部２４と接続し、トリガ信号を出力する。複数の単体測定器４１〜４３は、ＩＣテスタ２のインターフェース部２４とＴＣＰ／ＩＰ通信を行うと共に、ＴＳＣ２５からのトリガ信号を入力する入力部Ｉ、トリガ信号を出力する出力部Ｏを有し、ＤＵＴ１の測定またはＤＵＴ１に信号発生を行う。そして、単体測定器４１の入力部Ｉは、ＴＳＣ２５と電気的に接続する。単体測定器４１の出力部Ｏは、単体測定器４２の入力部Ｉと電気的に接続する。単体測定器４２の出力部Ｏは、単体測定器４３の入力部Ｉに電気的に接続する。ここで、単体測定器４１，４２は、信号発生を行い、単体測定器４３は、測定を行うものとする。
【００１２】
このような装置の動作を以下に説明する。コンピュータＣ１は、テストプログラムを、ネットワークＬを介して、ＩＣテスタ２に送る。ＩＣテスタ２のＴＳＣ２５は、ネットワークＬから送られてきたテストプログラムをＨＤＤ２２に格納する。そして、コンピュータＣ２が、ネットワークＬを介して、ＩＣテスタ２のＴＳＣ２５に試験開始を指示する。これにより、ＴＳＣ２５は、ＨＤＤ２２のテストプログラムを読み出し、モジュール２１の制御を行うと共に、インターフェース部２４を介して、ＴＣＰ／ＩＰ通信を行い、単体測定器４１〜４３の制御信号を送る。そして、ＴＳＣ２５が、トリガ信号を単体測定器４１の入力部Ｉに送ると、単体測定器４１の出力部Ｏを介して、単体測定器４２の入力部Ｉに入力される。そして、単体測定器４２の出力部Ｏからトリガ信号が出力され、単体測定器４３の入力部Ｉに入力される。これにより、ＩＣテスタ２と単体測定器４１〜４３との同期が図られる。
【００１３】
ＴＳＣ２５により、モジュール２１が、試験信号をＤＵＴ１に出力する。一方、トリガ信号により、単体測定器４１，４２が試験信号をＤＵＴ１に出力する。そして、ＤＵＴ１がモジュール２１、単体測定器４３に信号を出力し、モジュール２１、単体測定器４３が測定を行う。ＴＳＣ２５は、モジュール２１から測定結果を取得すると共に、インターフェース部２４を介して、ＴＣＰ／ＩＰ通信を行い、単体測定器４３から測定結果を取得する。そして、これらの測定結果により、ＴＳＣ２５が、ＤＵＴ１の良否の判定を行い、ＨＤＤ２２に格納する。コンピュータＣ２が、ＩＣテスタ２に対して、試験結果の要求を行うと、ＴＳＣ２５は、ＨＤＤ２２から試験結果を読み出し、ネットワークＬを介して、コンピュータＣ２に送る。
【００１４】
このように、ＩＣテスタ２が、ネットワークＬと分離したＴＣＰ／ＩＰ通信により、単体測定器４１〜４３と通信を行うと共に、単体測定器４１〜４３にトリガ信号を出力するので、単体測定器４１〜４３を用いて、信頼性が高い同期制御を行い、ＩＣテスタの汎用性を高めることができる。
【００１５】
なお、本発明はこれに限定されるものではなく、ＴＳＣ２５がトリガ信号を直接出力する構成を示したが、インターフェース部２４を介して出力する構成でもよい。
【図面の簡単な説明】
【００１６】
【図１】本発明の一実施例を示した構成図である。
【図２】従来のテストシステムの構成を示した図である。
【符号の説明】
【００１７】
１  ＤＵＴ
２  ＩＣテスタ
２４  インターフェース部
２５  ＴＳＣ
４１〜４３  単体測定器
Ｌ  ネットワーク
【図１】
2007315828.tif 000003
【図２】
2007315828.tif 000004